(57)【要約】【課題】蒸発器の除霜に要する時間を短縮する。【解決手段】換気熱交換器３４から流出した排気と暖房用熱交換器３５から流出した熱媒体とを熱交換させて換気熱交換器３４から流出した排気を加熱する除霜用熱交換器４４と、除霜用熱交換器４４により加熱された排気を蒸発器１４へ導く通風路を形成する通風路形成部材３６と、を備える。換気熱交換器３４から流出した排気を除霜用熱交換器４４で加熱して蒸発器１４の除霜を行う。【選択図】図１
2016114319.tif 000002
【特許請求の範囲】
【請求項１】
冷媒を圧縮して吐出する圧縮機（１１）、前記圧縮機から吐出された冷媒と熱媒体とを熱交換させて熱媒体を加熱する熱媒体−冷媒熱交換器（１２）、前記熱媒体−冷媒熱交換器から流出した冷媒を減圧させる減圧手段（１３）、および前記減圧手段にて減圧された冷媒を蒸発させる蒸発器（１４）を有するヒートポンプサイクル（１０）と、
前記熱媒体−冷媒熱交換器にて加熱された熱媒体を貯留する熱媒体タンク（２０）と、
暖房対象空間から室外へ排出される排気と室外から暖房対象空間へ取り入れられる給気とを熱交換させる換気熱交換器（３４）と、
前記熱媒体タンクに貯留された熱媒体を熱源として、前記換気熱交換器から流出した前記給気を加熱する暖房用熱交換器（３５）と、
前記換気熱交換器から流出した前記排気と前記暖房用熱交換器から流出した前記熱媒体とを熱交換させて前記換気熱交換器から流出した前記排気を加熱する除霜用熱交換器（４４）と、
前記除霜用熱交換器により加熱された前記排気を前記蒸発器へ導く通風路を形成する通風路形成部材（３６）と、を備えたことを特徴とする暖房システム。
【請求項２】
前記暖房用熱交換器より流出する熱媒体を、前記除霜用熱交換器（４４）を迂回させる温水迂回路（４８）と、
前記暖房用熱交換器より流出する熱媒体の流路を、前記除霜用熱交換器側または前記温水迂回路側に切り替える第１流路切替弁（４６）と、
前記暖房用熱交換器より流出した熱媒体の温度（Ｔ１）を検出する第１温度検出手段（４７）と、
前記換気熱交換器から流出した排気の温度（Ｔ２）を検出する第２温度検出手段（４３）と、
前記第１温度検出手段により検出された前記熱媒体の温度（Ｔ１）が前記第２温度検出手段により検出された前記排気の温度（Ｔ２）未満の場合、前記暖房用熱交換器より流出した熱媒体が前記温水迂回路へ流入するように前記第１流路切替弁を切り替える第１切替制御手段（Ｓ２００、Ｓ２０４）と、を備えたことを特徴とする請求項１に記載の暖房システム。
【請求項３】
前記換気熱交換器より排出される前記排気を、前記除霜用熱交換器（４４）を迂回させる排気迂回路（５０）と、
前記換気熱交換器より排出される前記排気の流路を、前記除霜用熱交換器側または前記排気迂回路側に切り替える第２流路切替弁（４６）と、
前記暖房用熱交換器より流出した熱媒体の温度（Ｔ１）を検出する第１温度検出手段（４７）と、
前記換気熱交換器から流出した排気の温度（Ｔ２）を検出する第２温度検出手段（４３）と、
前記第１温度検出手段により検出された前記熱媒体の温度（Ｔ１）が前記第２温度検出手段により検出された前記排気の温度（Ｔ２）未満の場合、前記換気熱交換器から流出した排気が前記排気迂回路へ流入するように前記第２流路切替弁を切り替える第２切替制御手段（Ｓ３００、Ｓ３０４）と、を備えたことを特徴とする請求項１に記載の暖房システム。
【請求項４】
除霜運転を行う必要があるか否かを判定するための情報を取得して除霜運転を行う必要があるか否かを判定する除霜判定手段（Ｓ１００）と、
前記除霜判定手段により前記除霜運転を行う必要があると判定された場合、前記圧縮機を停止させる圧縮機停止手段（Ｓ１０２）と、を備えたことを特徴とする請求項１ないし３のいずれか１つに記載の暖房システム。
【請求項５】
前記通風路形成部材は、外気を導入するための開口部（３６ａ）を有しており、
前記開口部を開閉する開閉手段（４５）と、
前記除霜判定手段により前記除霜運転を行う必要があると判定された場合、前記通風路形成部材に外気が導入されないよう前記開閉手段を制御する開閉制御手段（Ｓ１０４）と、を備えたことを特徴とする請求項１ないし４のいずれか１つに記載の暖房システム。
【請求項６】
前記冷媒は二酸化炭素が用いられていることを特徴とする請求項１ないし５のいずれか１つに記載の暖房システム。
【発明の詳細な説明】
【技術分野】
【０００１】
本発明は、ヒートポンプサイクルを備えた暖房システムに関するものである。
【背景技術】
【０００２】
従来、ヒートポンプサイクルによって加熱された給湯水を貯留する貯湯タンクと、貯湯タンクに貯湯された給湯水を熱源として換気熱交換器から流出した給気を加熱するヒータコアと、換気熱交換器から流出した排気をヒートポンプサイクルの蒸発器へ導くダクトを備え、換気熱交換器から流出した排気で蒸発器の除霜を行うようにしたものがある（例えば、特許文献１参照）。
【先行技術文献】
【特許文献】
【０００３】
【特許文献１】特開２０１４−１５２９８５号公報
【発明の概要】
【発明が解決しようとする課題】
【０００４】
上記特許文献１に記載されたシステムのように、換気熱交換器から流出した排気でヒートポンプサイクルの蒸発器の除霜を行う構成では、換気熱交換器から流出した排気の温度が低く除霜に時間がかかるといった問題がある。
【０００５】
本発明は上記問題に鑑みたもので、蒸発器の除霜に要する時間を短縮することを目的とする。
【課題を解決するための手段】
【０００６】
上記目的を達成するため、請求項１に記載の発明は、冷媒を圧縮して吐出する圧縮機（１１）、圧縮機から吐出された冷媒と熱媒体とを熱交換させて熱媒体を加熱する熱媒体−冷媒熱交換器（１２）、熱媒体−冷媒熱交換器から流出した冷媒を減圧させる減圧手段（１３）、および減圧手段にて減圧された冷媒を蒸発させる蒸発器（１４）を有するヒートポンプサイクル（１０）と、熱媒体−冷媒熱交換器にて加熱された熱媒体を貯留する熱媒体タンク（２０）と、暖房対象空間から室外へ排出される排気と室外から暖房対象空間へ取り入れられる給気とを熱交換させる換気熱交換器（３４）と、熱媒体タンクに貯留された熱媒体を熱源として、換気熱交換器から流出した給気を加熱する暖房用熱交換器（３５）と、換気熱交換器から流出した排気と暖房用熱交換器から流出した熱媒体とを熱交換させて換気熱交換器から流出した排気を加熱する除霜用熱交換器（４４）と、除霜用熱交換器により加熱された排気を蒸発器へ導く通風路を形成する通風路形成部材（３６）と、を備えたことを特徴としている。
【０００７】
このような構成によれば、換気熱交換器から流出した排気と暖房用熱交換器から流出した熱媒体とが熱交換されて換気熱交換器から流出した排気を加熱する除霜用熱交換器（４４）を備え、除霜用熱交換器により加熱された排気が通風路形成部材により形成された通風路を通って蒸発器へ導かれるので、蒸発器の除霜に要する時間を短縮することができる。
【０００８】
なお、この欄および特許請求の範囲で記載した各手段の括弧内の符号は、後述する実施形態に記載の具体的手段との対応関係を示すものである。
【図面の簡単な説明】
【０００９】
【図１】本発明の第１実施形態に係る暖房システムの模式的な全体構成図である。
【図２】本発明の第１実施形態に係る暖房システムの制御装置のフローチャートである。
【図３】暖房システムの各部の温度について説明するための図である。
【図４】本発明の第２実施形態に係る暖房システム１の模式的な全体構成図である。
【図５】本発明の第２実施形態に係る暖房システムの制御装置のフローチャートである。
【図６】本発明の第３実施形態に係る暖房システム１の模式的な全体構成図である。
【図７】本発明の第３実施形態に係る暖房システムの制御装置のフローチャートである。
【発明を実施するための形態】
【００１０】
以下、本発明の実施形態について図に基づいて説明する。なお、以下の各実施形態相互において、互いに同一もしくは均等である部分には、図中、同一符号を付してある。
【００１１】
（第１実施形態）
以下、図１を用いて、本発明の第１実施形態を説明する。本実施形態の暖房システム１は、住宅用家屋に適用されており、リビング、キッチン、寝室等の各室内（暖房対象空間）の暖房を行うものである。さらに、この住宅用家屋は、いわゆる高気密住宅と呼ばれる気密性の高い家屋であって、定常的な換気が必要とされる。
【００１２】
暖房システム１は、図１の模式的な全体構成図に示すように、給湯水を加熱するヒートポンプサイクル１０、このヒートポンプサイクル１０にて加熱された給湯水を貯留する貯湯タンク２０、室内の換気時に室外から室内へ取り入れられる給気（外気）を加熱する給気加熱ユニット３０等を備えている。
【００１３】
まず、ヒートポンプサイクル１０は、圧縮機１１、水−冷媒熱交換器１２、電気式膨張弁１３、蒸発器１４等を順次冷媒配管で接続することによって構成された蒸気圧縮式の冷凍サイクルである。
【００１４】
さらに、このヒートポンプサイクル１０は、冷媒として二酸化炭素を採用しており、圧縮機１１の吐出口側から電気式膨張弁１３の入口側へ至るサイクルの高圧側の冷媒圧力が冷媒の臨界圧力以上となる超臨界冷凍サイクルを構成している。また、この冷媒には圧縮機１１を潤滑するための冷凍機油が混入されており、冷凍機油の一部は冷媒とともにサイクルを循環している。
【００１５】
圧縮機１１は、ヒートポンプサイクル１０において冷媒を吸入し、臨界圧力以上となるまで圧縮して吐出するものである。本実施形態では、圧縮機１１として、吐出容量が固定された固定容量型圧縮機構を電動モータにて駆動する電動圧縮機を採用している。圧縮機１１の電動モータは、後述する制御装置から出力される制御信号によって、その作動（回転数）が制御される。
【００１６】
水−冷媒熱交換器１２は、圧縮機１１から吐出された冷媒と給湯水とを熱交換させて給湯水を加熱するものである。給湯水は、ヒートポンプサイクル１０の加熱対象流体であり、後述する貯湯タンク２０内に貯留された後、調理場や風呂等に給湯される。さらに、本実施形態の給湯水は、ヒートポンプサイクル１０にて発生した熱を貯湯タンク２０内に貯留された給湯水へ移動させる熱媒体としての機能も果たす。
【００１７】
従って、本実施形態の水−冷媒熱交換器１２は、特許請求の範囲に記載された熱媒体−冷媒熱交換器を構成している。このような水−冷媒熱交換器１２としては、冷媒通路１２ａとして冷媒を流通させる複数本のチューブを設け、隣り合うチューブ間に水通路１２ｂを形成し、水通路１２ｂ内に冷媒と冷却水との間の熱交換を促進するインナーフィンを配置して構成された熱交換器等を採用することができる。
【００１８】
さらに、本実施形態では、水−冷媒熱交換器１２として、冷媒通路１２ａを流れる冷媒の流れ方向と水通路１２ｂを流れる給湯水の流れ方向が対向流となる対向流型の熱交換器を採用している。
【００１９】
対向流型の熱交換器では、冷媒通路１２ａ入口側の冷媒と水通路１２ｂ出口側の給湯水とを熱交換させ、冷媒通路１２ａ出口側の冷媒と水通路１２ｂ入口側の給湯水とを熱交換させることができるので、熱交換領域の全域に亘って給湯水と冷媒との温度差を確保して熱交換効率を向上させることができる。
【００２０】
また、本実施形態のヒートポンプサイクル１０は、前述したように、超臨界冷凍サイクルを構成しているので、水−冷媒熱交換器１２の冷媒通路１２ａでは、冷媒は凝縮することなく超臨界状態のまま放熱して、そのエンタルピを低下させる。
【００２１】
電気式膨張弁１３は、水−冷媒熱交換器１２の冷媒通路１２ａから流出した冷媒を減圧させる減圧手段である。具体的には、電気式膨張弁１３は、絞り開度を変更可能に構成された弁体と、この弁体の絞り開度を変化させる電動アクチュエータを有して構成される可変絞り機構である。さらに、この電動アクチュエータは、制御装置から出力される制御信号によって、その作動が制御される。
【００２２】
蒸発器１４は、電気式膨張弁１３にて減圧された冷媒を、図示しない送風ファンから送風される外気あるいは後述する給気加熱ユニット３０の換気熱交換器３４から流出した排気と熱交換させて蒸発させるものである。このような蒸発器１４としては、フィンアンドチューブ型の熱交換器等を採用することができる。蒸発器１４の冷媒出口側には、圧縮機１１の吸入口側が接続されている。
【００２３】
なお、ヒートポンプサイクル１０の各構成機器１１〜１４（図１の一点鎖線で囲まれた範囲の構成機器）は、１つの筐体内に収容され、もしくは、１つのフレーム構造内に収容され、ヒートポンプユニットとして一体的に構成されている。
【００２４】
次に、貯湯タンク２０について説明する。貯湯タンク２０は、耐食性に優れた金属（例えば、ステンレス）で形成され、その外周を断熱材で覆う断熱構造あるいは二重タンクによる真空断熱構造等を有し、高温の給湯水を長時間保温することができる熱媒体タンクである。また、この貯湯タンク２０は室外に配置されている。
【００２５】
貯湯タンク２０に貯留された給湯水は、貯湯タンク２０の上部に設けられた出湯口から出湯され、図示しない温調弁において水道からの冷水と混合されて温度調節された後、室内（具体的には調理場や風呂等）に給湯される。また、貯湯タンク２０の下部に設けられた給水口からは水道水が給水されて、室内へ給湯された分の給湯水が補充される。
【００２６】
さらに、貯湯タンク２０は、第１水循環回路２１によってヒートポンプサイクル１０の水−冷媒熱交換器１２の水通路１２ｂと接続されている。第１水循環回路２１は、貯湯タンク２０と水−冷媒熱交換器１２との間で給湯水を循環させる水循環回路である。この第１水循環回路２１には、給湯水を循環させる第１水循環ポンプ２２が配置されている。
【００２７】
第１水循環ポンプ２２は、貯湯タンク２０の下方側に設けられた給湯水出口から流出した給湯水を吸入して、水−冷媒熱交換器１２の水通路１２ｂへ給湯水を圧送する電動式の水ポンプである。さらに、この第１水循環ポンプ２２は、制御装置から出力される制御信号によって、その作動（回転数）が制御される。
【００２８】
従って、第１水循環ポンプ２２を作動させると、給湯水は、貯湯タンク２０の下方側に設けられた給湯水出口→第１水循環ポンプ２２→水−冷媒熱交換器１２の水通路１２ｂ→貯湯タンク２０の上方側に設けられた給湯水入口の順に循環する。これにより、水−冷媒熱交換器１２にて加熱された給湯水は貯湯タンク２０の上方側に流出し、貯湯タンク２０内では上方側から下方側へ向かって給湯水の温度が低くなる温度分布が生じる。
【００２９】
さらに、本実施形態では、水−冷媒熱交換器１２として対向流型の熱交換器を採用しているので、貯湯タンク２０の下方側に設けられた給湯水出口から流出した給湯水は、水−冷媒熱交換器１２の冷媒通路１２ａのうち冷媒流れ下流側を流通する比較的エンタルピの低い冷媒と熱交換することになる。つまり、貯湯タンク２０の下方側の低温の給湯水は、水−冷媒熱交換器１２にて、冷媒通路１２ａ下流側の電気式膨張弁１３へ流入する冷媒と直接的に熱交換する熱媒体となる。
【００３０】
一方、水−冷媒熱交換器１２の水通路１２ｂから流出する給湯水は、水−冷媒熱交換器１２の冷媒通路１２ａのうち冷媒流れ上流側を流通する比較的エンタルピの高い冷媒と熱交換して加熱される。つまり、貯湯タンク２０の上方側の高温の給湯水は、水−冷媒熱交換器１２にて、ヒートポンプサイクル１０の圧縮機１１から吐出された高温高圧冷媒によって直接的に加熱された熱媒体となる。
【００３１】
次に、給気加熱ユニット３０は、室内の換気を行う際に、室内から室外へ排出される排気が流通する排気通風路３２および室外から室内へ取り入れられる給気が流通する給気通風路３３が形成されたケーシング３１を有し、このケーシング３１内に、排気送風ファン３２ａ、給気送風ファン３３ａ、換気熱交換器３４、暖房用熱交換器３５および除霜用熱交換器４４を収容して構成されたものである。
【００３２】
排気送風ファン３２ａは、室内から室外へ排気を送風する電動送風機であって、排気通風路３２の排気流れ最上流側に配置されている。給気送風ファン３３ａは、室外から室内へ給気を送風する電動送風機であって、給気通風路３３の給気流れ最上流側に配置されている。また、排気送風ファン３２ａおよび給気送風ファン３３ａは、いずれも制御装置から出力される制御電圧によって稼働率、すなわち回転数（送風空気量）が制御される。
【００３３】
換気熱交換器３４は、室内の換気を行う際に、排気と給気とを熱交換させるものである。従って、換気熱交換器３４は、例えば、室内の暖房時には、高温の排気と低温の給気とを熱交換させて、給気を加熱することができる。つまり、換気熱交換器３４は、暖房時に排気とともに室外へ排出されてしまう熱エネルギを回収して給気を加熱することによって、換気による室内の温度低下を抑制する機能を果たす。なお、換気熱交換器３４は、例えば、室内の冷房時には、高温の給気と低温の排気とを熱交換させて、給気を冷却することもできる。
【００３４】
暖房用熱交換器３５は、内部に温水を流通させ、この温水を熱源として換気熱交換器３４から流出する給気（換気熱交換器３４下流側の給気）を加熱する加熱用熱交換器である。また、暖房用熱交換器３５は、温水を循環させる第２水循環回路３７に配置されており、貯湯タンク２０内に配置された温水通路３８に接続されている。
【００３５】
第２水循環回路３７は、温水通路３８と暖房用熱交換器３５との間で温水を循環させる水循環回路である。さらに、第２水循環回路３７には、蒸発器１４の除霜に用いられる除霜用熱交換器４４と、温水を循環させる第２水循環ポンプ３９が配置されている。
【００３６】
また、第２水循環回路３７を循環する温水は、貯湯タンク２０内に貯留された給湯水の有する熱を給気へ移動させる熱媒体であって、給湯水と同じ水道水あるいはエチレングリコール水溶液等を採用することができる。つまり、本実施形態の暖房システム１では、給湯水と温水との２種類の熱媒体を介して、ヒートポンプサイクル１０にて発生した熱を吸気へ移動させている。
【００３７】
温水通路３８は、貯湯タンク２０内を蛇行しながら上下方向に伸びるように配置された温水配管で構成されている。従って、温水を温水通路３８に流通させることで、貯湯タンク２０内に貯留された給湯水を熱源として温水を加熱することができる。
【００３８】
さらに、本実施形態の温水通路３８の温水入口は貯湯タンク２０の下方側に設けられ、温水通路３８の温水出口は貯湯タンク２０の上方側に設けられている。前述の如く、貯湯タンク２０内の給湯水には下方側から上方側へ向かって温度が高くなる温度分布が生じているので、温水通路３８を流通する温水についても下方側（温水入口側）から上方側（温水出口側）へ向かって温度が上昇することになる。
【００３９】
除霜用熱交換器４４は、換気熱交換器３４から流出した排気と暖房用熱交換器３５から流出した熱媒体とを熱交換させて換気熱交換器３４から流出した排気を加熱するものである。除霜用熱交換器４４で加熱された排気は、ダクト３６を介して蒸発器１４へと送風される。なお、ダクト３６は、除霜用熱交換器４４により加熱された排気を蒸発器１４へ導く通風路を形成する通風路形成部材である。
【００４０】
第２水循環ポンプ３９は、暖房用熱交換器３５から流出した温水を吸入して、温水通路３８の温水入口側へ圧送する電動式の水ポンプである。この第２水循環ポンプ３９は、制御装置から出力される制御信号によってその作動（回転数）が制御される。
【００４１】
従って、第２水循環ポンプ３９を作動させると、温水は、第２水循環ポンプ３９→貯湯タンク２０の下方側に配置された温水通路３８の温水入口→温水通路３８→貯湯タンク２０の上方側に配置された温水通路３８の温水出口→暖房用熱交換器３５→除霜用熱交換器４４の順に循環する。
【００４２】
さらに、本実施形態の給気加熱ユニット３０には、排気通風路３２の下流側に、換気熱交換器３４から除霜用熱交換器４４を通って流出した排気を、図１の太破線矢印に示すように、ヒートポンプサイクル１０の蒸発器１４側へ導く通風路を形成するダクト３６が接続されている。これにより、蒸発器１４では、電気式膨張弁１３にて減圧された低圧冷媒を排気と熱交換させて蒸発させることができる。
【００４３】
ダクト３６は、外気を導入するための開口部３６ａを有している。ダクト３６の開口部３６ａには、図示しない制御装置からの制御により開閉する切替ドア４５が設けられている。切替ドア４５は、開口部を開閉する開閉手段である。
【００４４】
通常時、切替ドア４５は開状態となるように制御され、換気熱交換器３４から流出した排気と、室外からの空気がダクト３６側へ導入される。また、蒸発器１４の除霜運転時には、切替ドア４５は閉状態となるように制御され、換気熱交換器３４から流出した排気がダクト３６側へ導入され、室外からの空気はダクト３６側へ導入されなくなる。
【００４５】
次に、本実施形態の電気制御部の概要を説明する。図示しない制御装置は、ＣＰＵ、ＲＯＭおよびＲＡＭ等を含む周知のマイクロコンピュータとその周辺回路から構成されている。この制御装置は、ＲＯＭに記憶された制御プログラムに基づいて各種演算、処理を行って、上述の各種電気式のアクチュエータ等の作動を制御する。
【００４６】
制御装置の入力側には、圧縮機１１から吐出された高圧冷媒の高圧側冷媒圧力Ｐｄを検出する高圧側圧力検出手段としての高圧側圧力センサ、水−冷媒熱交換器１２の水通路から流出する給湯水の沸上温度Ｔｗｏを検出する沸上温度検出手段としての沸上温度センサ、蒸発器１４における冷媒蒸発温度（蒸発器１４の蒸発器温度）Ｔｓを検出する蒸発器温度検出手段としての蒸発器温度センサ４１、外気温Ｔａｍを検出する外気温検出手段としての外気温センサ、温水通路３８から流出する温水の出口温度Ｔｏｕｔを検出する出口側温水温度検出手段としての出口側温水温度センサ、貯湯タンク２０内に貯留された給湯水の温度を検出するタンク内温度センサ４２、換気熱交換器３４から流出した排気の出口側排気温度Ｔｅｘｏを検出する出口側排気温度センサ４３といった各種制御用のセンサ群が接続され、これらのセンサ群の検出信号が制御装置へ入力される。
【００４７】
なお、本実施形態の蒸発器温度センサ４１は、具体的には、蒸発器１４の熱交換フィン温度を検出している。もちろん、蒸発器温度センサ４１として、蒸発器１４のその他の部位の温度を検出する温度検出手段を採用してもよいし、蒸発器１４を流通する冷媒自体の温度を直接検出する温度検出手段を採用してもよい。
【００４８】
また、本実施形態のタンク内温度センサ４２は、貯湯タンク２０内に上下方向に並んで配置された複数個（本実施形態では、５つ）の温度センサによって構成されている。これにより、制御装置では、複数のタンク内温度センサ４２の出力信号によって、貯湯タンク２０内の水位レベルに応じた給湯水の温度および温度分布を検出することができる。
【００４９】
さらに、制御装置では、タンク内温度センサ４２の検出値から算定される貯湯タンク２０内の給湯水の水レベルとその温度分布から、貯湯タンク２０に貯留された給湯水（熱媒体）の熱量Ｑｔを求めることができる。従って、本実施形態の複数の温度センサからなるタンク内温度センサ４２は、熱量検出手段を構成している。
【００５０】
また、制御装置の入力側には、図示しない操作パネルが接続されている。この操作パネルには、暖房システム１の作動を要求する作動要求信号を出力する作動スイッチ、給湯水の沸上温度（目標加熱温度）を設定する温度設定スイッチ等が設けられ、これらのスイッチの操作信号が制御装置へ入力される。
【００５１】
なお、本実施形態の制御装置は、その出力側に接続された各種制御対象機器を制御する制御手段が一体的に構成されたものであるが、制御装置のうちそれぞれの制御対象機器の作動を制御する構成（ハードウェアおよびソフトウェア）が、それぞれの制御対象機器の作動を制御する制御手段を構成している。
【００５２】
例えば、制御装置のうち、圧縮機１１の作動（圧縮機１１の冷媒吐出能力）を制御する構成（ハードウェアおよびソフトウェア）が吐出能力制御手段を構成し、電気式膨張弁１３の作動（電気式膨張弁１３の絞り開度）を制御する構成（ハードウェアおよびソフトウェア）が絞り開度制御手段を構成している。もちろん、吐出能力制御手段および絞り開度制御手段を制御装置に対して別の装置で構成してもよい。
【００５３】
次に、上記構成における本実施形態の暖房システム１の作動を説明する。本実施形態の暖房システム１は、室内の暖房を行う通常暖房運転モードと、蒸発器１４の除霜を行う除霜運転モードを有している。
【００５４】
まず、通常暖房運転モードについて説明する。通常暖房運転モードでの運転は、暖房システム１に外部電源から電力が供給された状態で、操作パネルの作動スイッチから作動要求信号が出力されると、制御装置が予めＲＯＭ（記憶回路）に記憶している制御処理（制御プログラム）を実行することによって開始される。
【００５５】
この制御処理では、操作パネルの操作信号および上述した制御用のセンサ群により検出された検出信号を読み込み、読み込まれた操作信号および検出信号に基づいて、制御装置の出力側に接続された各種制御対象機器の制御状態（具体的には、各種制御対象機器へ出力される制御信号あるいは制御電圧）を決定する。
【００５６】
例えば、圧縮機１１へ出力される制御信号については、操作パネルからの給湯温度設定信号および外気温センサにより検出された外気温Ｔａｍに基づいて、制御装置のＲＯＭに記憶された制御マップを参照して決定される。具体的には、給湯温度設定信号による設定温度の上昇および外気温Ｔａｍの低下に伴って、圧縮機１の回転数（冷媒吐出能力）が増加するように決定される。
【００５７】
また、電気式膨張弁１３の電動アクチュエータに出力される制御信号については、ヒートポンプサイクル１０の高圧側冷媒圧力Ｐｄが目標高圧となるように決定される。この目標高圧は、外気温Ｔａｍおよび圧縮機１１の回転数に基づいて、制御装置のＲＯＭに記憶された制御マップを参照して、ヒートポンプサイクル１０の成績係数（ＣＯＰ）が最大となるように決定される。
【００５８】
また、第１水循環回路２１の第１水循環ポンプ２２へ出力される制御電圧については、フィードバック制御手法等を用いて、水−冷媒熱交換器１２の水通路１２ｂから流出する給湯水の沸上温度Ｔｗｏが温度設定スイッチによって設定された目標加熱温度（例えば、８０℃〜９０℃）に近づくように決定される。
【００５９】
また、排気送風ファン３２ａおよび給気送風ファン３３ａへ出力される制御電圧については、排気送風ファン３２ａおよび給気送風ファン３３ａが予め定めた所定送風能力を発揮できるように決定される。
【００６０】
また、第２水循環回路３７の第２水循環ポンプ３９へ出力される制御電圧については、フィードバック制御手法等を用いて、温水通路３８から流出する温水の出口温度Ｔｏｕｔ（暖房用熱交換器３５へ流入する温水温度）が予め定めた基準加熱温度ＫＴｈ（本実施形態では、４０℃〜５０℃）となるように決定される。この基準加熱温度ＫＴｈは、暖房用熱交換器３５にて温水通路３８から流出した温水と熱交換した給気が、室内の暖房を適切に実現可能な温度（例えば、３０℃〜４０℃）となるように定められた値である。
【００６１】
そして、制御装置は、上記の如く決定された制御信号および制御電圧を各種制御対象機器へ出力する。さらに、制御装置は、タンク内温度センサ４２の検出値から求められた貯湯タンク２０に貯留された給湯水の熱量Ｑｔが、後述する基準熱量ＫＱｔ以上となるように、ヒートポンプサイクル１０を作動させる。
【００６２】
その後、制御装置は、操作パネルの作動スイッチがＯＦＦされて暖房システム１の作動停止が要求されるまで、所定の制御周期毎に、上述の検出信号および操作信号の読み込み→各種制御対象機器の制御状態の決定→各種制御対象機器への制御電圧および制御信号の出力といった制御ルーチンを繰り返す。
【００６３】
従って、通常暖房運転モード時のヒートポンプサイクル１０では、圧縮機１１から吐出された高温高圧冷媒が、水−冷媒熱交換器１２の冷媒通路１２ａへ流入し、水通路１２ｂを流通する給湯水へ放熱する。これにより、水通路１２ｂを流通する給湯水が加熱される。
【００６４】
冷媒通路１２ａから流出した高圧冷媒は、電気式膨張弁１３へ流入して低圧冷媒となるまで減圧される。電気式膨張弁１３にて減圧された低圧冷媒は、蒸発器１４へ流入し、給気加熱ユニット３０の排気通風路３２から流出した排気から吸熱して蒸発する。蒸発器１４から流出した冷媒は、圧縮機１１へ吸入されて再び圧縮される。
【００６５】
また、第１水循環回路２１では、第１水循環ポンプ２２から圧送された貯湯タンク２０の下方側の比較的低温の給湯水が、水−冷媒熱交換器１２の水通路１２ｂを流通する際に加熱される。水−冷媒熱交換器１２にて加熱されて高温となった給湯水は、貯湯タンク２０の上方側へ貯留される。
【００６６】
また、第２水循環回路３７では、第２水循環ポンプ３９が作動しているので、温水通路３８の上方側の温水出口から温水が流出する。この際、温水通路３８の温水出口から流出する温水は、貯湯タンク２０の上方側の比較的高い温度の給湯水によって加熱され、基準加熱温度ＫＴｈとなるまで温度上昇する。
【００６７】
そして、基準加熱温度ＫＴｈとなるまで温度上昇した温水は、暖房用熱交換器３５へ流入して、換気熱交換器３４から流出した給気と熱交換して放熱する。これにより、換気熱交換器３４から流出した給気が室内の暖房を適切に実現可能な温度となるまで加熱される。
【００６８】
つまり、本実施形態の暖房用熱交換器３５では、貯湯タンク２０に貯留された給湯水（熱媒体）を熱源として、換気熱交換器３４から流出した空気を温水を介して間接的に加熱している。暖房用熱交換器３５にて給気に放熱して温度低下した温水は、さらに除霜用熱交換器４４にて排気に放熱して、第２水循環ポンプ３９へ吸入されて、貯湯タンク２０内の下方側に配置された温水通路３８の温水入口側へ圧送される。
【００６９】
また、給気加熱ユニット３０では、給気送風ファン３３ａから送風された給気（外気）が換気熱交換器３４の給気通路へ流入する。換気熱交換器３４の給気通路へ流入した給気は、排気送風ファン３２ａから送風されて換気熱交換器３４の排気通路を流通する排気（内気）と熱交換する。
【００７０】
換気熱交換器３４から流出した給気は、暖房用熱交換器３５にてさらに加熱されて、図示しないダクトを介して暖房対象空間である各室内へ送風される、一方、換気熱交換器３４から流出した排気は、排気通風路３２およびダクト３６を介してヒートポンプサイクル１０の蒸発器１４側へ送風される。
【００７１】
以上の如く、通常暖房運転モードでは、ヒートポンプサイクル１０の水−冷媒熱交換器１２にて加熱された給湯水を貯湯タンク２０に貯留することができる。さらに、暖房用熱交換器３５にて加熱された給気を、各室内へ送風することによって、各室内の暖房を実現することができる。
【００７２】
次に、除霜運転モードについて説明する。除霜運転モードでの運転は、通常暖房運転モード時に図２のフローチャートの制御処理が実行されることによって、通常暖房運転モードから除霜運転モード切り替えられる。
【００７３】
なお、図２に示すフローチャートは、通常暖房運転モード時に実行される制御処理のメインルーチンに対してサブルーチンとして実行される制御処理である。制御装置は、図２に示す処理を定期的に実施する。また、図２の各制御ステップは、制御装置が有する各種機能実現手段を構成している。
【００７４】
まず、除霜運転を行う必要があるか否かを判定するための情報を取得して除霜運転を行う必要があるか否かを判定する（Ｓ１００）。具体的には、メインルーチンで読み込まれた蒸発器温度Ｔｓを取得し、蒸発器温度Ｔｓが予め定めた着霜基準温度ＫＴｓ１（例えば、−１０℃）以下で所定時間経過した場合に、蒸発器１４に着霜が生じて除霜運転を行う必要があると判定している。
【００７５】
ここで、除霜運転を行う必要がないと判定された場合は、メインルーチンへ戻り、通常暖房運転モードの制御処理を実行する。一方、Ｓ１００にて、除霜運転を行う必要があると判定された場合は、次に、ヒートポンプサイクル１０の圧縮機１１を停止させる（Ｓ１０２）。このように、除霜運転を行う際に圧縮機１１を停止させることで圧縮機１１で消費される電力を低減することができる。
【００７６】
次に、切替ドア４５を閉状態にする（Ｓ１０４）。すなわち、ダクト３６に外気が導入されないよう切替ドア４５を制御する。これにより、換気熱交換器３４から流出した排気がダクト３６側へ導入され、室外からの低温の外気はダクト３６側へ導入されなくなる。
【００７７】
次に、除霜が完了したか否かを判定する（Ｓ１０６）。具体的には、蒸発器温度Ｔｓの検出信号を読み込み、蒸発器温度Ｔｓが予め定めた除霜終了基準温度ＫＴｓ２（例えば、５℃）よりも高くなっている場合、除霜が完了したと判定する。
【００７８】
ここで、Ｓ１０６にて、除霜が完了していないと判定された場合、Ｓ１０２へ戻り、除霜運転を継続する。また、Ｓ１０６にて、除霜が完了したと判定されると、切替ドア４５を開状態にする（Ｓ１０８）。これにより、換気熱交換器３４から流出した排気だけでなく、室外からの空気もダクト３６側へ導入されるようになる。次に、メインルーチンへ戻り、除霜運転を終了する。
【００７９】
次に、除霜運転中の各部の温度について説明する。図３に、各部の温度の一例を示す。ここでは、貯湯タンク２０から暖房用熱交換器３５へ流入する温水の温度が４０℃となっているものとする。この温水は暖房用熱交換器３５で熱交換して室内に給気する空気に熱を与える。このため、暖房用熱交換器３５から除霜用熱交換器４４へ流入する温水の温度は低下して、例えば２０℃となる。
【００８０】
また、室内から排出される空気の温度は２５℃となっており、室外の空気の温度は、２℃となっているものとする。この場合、室内から排出される空気と室外の空気が換気熱交換器３４により熱交換され、換気熱交換器３４から暖房用熱交換器３５へ流入する空気の温度は上昇して、例えば２３℃となる、また、換気熱交換器３４から除霜用熱交換器４４へ流入する空気の温度は低下して、例えば１０℃となる。
【００８１】
また、除霜用熱交換器４４には暖房用熱交換器３５から、例えば２０℃の温水が流入する。また、除霜用熱交換器４４には換気熱交換器３４から、例えば、１０℃の空気が流入する。この場合、除霜用熱交換器４４から流出する温水の温度は低下して、例えば１５℃となる。また、換気熱交換器３４から流出した空気は除霜用熱交換器４４で加熱され、例えば１６℃となる。そして、この空気がダクト３６を通って蒸発器１４へと送風される。すなわち、１６℃の空気で蒸発器１４の除霜が行われる。
【００８２】
なお、上記特許文献１に記載されたシステムのように、換気熱交換器３４から流出した空気でヒートポンプサイクル１０の蒸発器１４の除霜を行うよう構成では、換気熱交換器３４から流出する、例えば１０℃の空気で蒸発器１４の除霜が行われる。
【００８３】
上記した構成によれば、換気熱交換器３４から流出した排気と暖房用熱交換器３５から流出した温水とを熱交換して換気熱交換器３４から流出した排気を加熱する除霜用熱交換器４４を備え、除霜用熱交換器４４により加熱された排気が通風路形成部材３６により形成された通風路を通って蒸発器１４へ導かれるので、蒸発器１４の除霜に要する時間を短縮することができる。すなわち、除霜用熱交換器４４により、貯湯タンク２０に貯湯された温水の排熱を利用して蒸発器１４の除霜を速やかに行うことができる。
【００８４】
また、本暖房システム１のヒートポンプサイクル１０は、冷媒として二酸化炭素を採用している。冷媒として二酸化炭素を採用した場合、沸上温度と水−冷媒熱交換器１２の入水温度との温度差が大きいほど、沸上時の効率が高くなる。なお、水−冷媒熱交換器１２の入水温度は、貯湯タンク２０の下方側の給湯水の温度、すなわち、除霜用熱交換器４４より流出して貯湯タンク２０へ流入する給湯水の温度とほぼ等しくなる。
【００８５】
本暖房システム１は除霜用熱交換器４４を有しており、この除霜用熱交換器４４により貯湯タンク２０の下方側の給湯水の温度が低下し、水−冷媒熱交換器１２の入水温度も低下するので、沸上温度と水−冷媒熱交換器１２の入水温度との温度差を大きくすることができ、沸上時の効率を向上することができる。
【００８６】
また、制御装置は、除霜運転を行う必要があるか否かを判定するための情報を取得して除霜運転を行う必要があるか否かを判定し、除霜運転を行う必要があると判定した場合、圧縮機１１を停止させるので、圧縮機１１で消費される電力を低減することができる。
【００８７】
また、ダクト３６は、外気を導入するための開口部３６ａを有しており、ダクト３６には、開口部３６ａを開閉する切替ドア４５が設けられており、制御装置は、除霜運転を行う必要があると判定された場合、ダクト３６に外気が導入されないよう切替ドア４５を制御するので、外気によってダクト３６内を通って蒸発器１４へ導かれる排気の温度を低下させないようにすることができる。
【００８８】
（第２実施形態）
本発明の第２実施形態に係る暖房システム１の模式的な全体構成図を図４に示す。本実施形態の暖房システム１は、上記第１実施形態の暖房システム１と比較して、更に、温水迂回路４８、流路切替弁４６および温水温度センサ４７を備えた点が異なる。
【００８９】
温水迂回路４８は、暖房用熱交換器３５より流出した温水を、除霜用熱交換器４４を迂回させて流す通路である。
【００９０】
流路切替弁４６は、第２水循環回路３７を流れる温水の流路を、除霜用熱交換器４４へ向かう流路と、温水迂回路４８へ向かう流路へ切り替える第１流路切替弁である。流路切替弁４６は、制御装置から出力される制御電圧によって動作する。
【００９１】
温水温度センサ４７は、暖房用熱交換器３５より流出した温水の温度Ｔ１を検出する第１温度検出手段である。また、本実施形態において、出口側排気温度センサ４３は、換気熱交換器３４から流出した排気の温度Ｔ２を検出する第２温度検出手段に相当する。温水温度センサ４７および出口側排気温度センサ４３の検出信号はそれぞれ制御装置へ入力される。
【００９２】
次に、本実施形態の暖房システム１の制御装置の処理について説明する。図５に、この処理のフローチャートを示す。本実施形態の制御装置は、通常暖房運転モードから除霜運転モード切り替わると、図２に示した処理と並行して、図５に示す処理を実施する。
【００９３】
まず、暖房用熱交換器３５より流出した温水の温度Ｔ１が、換気風（換気熱交換器３４より排出された排気）の温度Ｔ２よりも高いか否かを判定する（Ｓ２００）。暖房用熱交換器３５より流出した温水の温度Ｔ１は、温水温度センサ４７の検出信号に基づいて特定することができる。また、換気風の温度Ｔ２は、出口側排気温度センサ４３の検出信号に基づいて特定することができる。
【００９４】
ここで、温水の温度Ｔ１が、換気風の温度Ｔ２よりも高い場合、Ｓ２００の判定はＹＥＳとなり、暖房用熱交換器３５より流出した温水が除霜用熱交換器４４へ流入するように流路切替弁４６を制御する（Ｓ２０２）。これにより、暖房用熱交換器３５より流出した温水により換気風（換気熱交換器３４より排出された排気）が加熱され、蒸発器１４の除霜を効率良く行うことが可能となる。
【００９５】
また、温水の温度Ｔ１が、換気風の温度Ｔ２以下となった場合には、Ｓ２００の判定はＮＯとなり、暖房用熱交換器３５より流出した温水が温水迂回路４８へ流入するように流路切替弁４６を制御する（Ｓ２０４）。
【００９６】
なお、温水の温度Ｔ１が、換気風の温度Ｔ２以下となった場合、暖房用熱交換器３５より流出した温水が除霜用熱交換器４４へ流入すると、かえって換気熱交換器３４より排出された排気を冷却してしまう。しかし、上記したように換気風の温度Ｔ２以下となった場合、暖房用熱交換器３５より流出した温水が除霜用熱交換器４４へ流入しなくなるため、蒸発器１４へ送風する空気を冷却してしまうといったことを防止することができる。
【００９７】
次に、除霜が完了したか否かを判定する（Ｓ２０６）。具体的には、蒸発器温度Ｔｓの検出信号を読み込み、蒸発器温度Ｔｓが予め定めた除霜基準温度ＫＴｓ２（例えば、５℃）よりも高くなっている場合、除霜が完了したと判定する。
【００９８】
ここで、除霜が完了していない場合、Ｓ２０６の判定はＮＯとなり、Ｓ２００へ戻り、蒸発器１４の除霜が継続される。そして、除霜が完了すると、Ｓ２０６の判定はＹＥＳとなり、次に、暖房用熱交換器３５より流出した温水が、除霜用熱交換器４４へ流入することなく温水迂回路４８へ流入するように流路切替弁４６を制御し（Ｓ２０８）、メインルーチンへ戻り、除霜運転を終了する。
【００９９】
本実施形態では、前述の第１実施形態と共通の構成から奏される効果を第１実施形態と同様に得ることができる。
【０１００】
また、本暖房システム１は、暖房用熱交換器３５より流出する温水を、除霜用熱交換器４４を迂回させる温水迂回路４８と、暖房用熱交換器３５より流出する熱媒体の流路を、除霜用熱交換器４４側または温水迂回路４８側に切り替える流路切替弁４６と、暖房用熱交換器３５より流出した温水の温度Ｔ１を検出する温水温度センサ４７と、換気熱交換器３４から流出した排気の温度（Ｔ２）を検出する出口側排気温度センサ４３と、を備えている。更に、本暖房システム１は、温水温度センサ４７により検出された温水の温度Ｔ１が出口側排気温度センサ４３により検出された排気の温度Ｔ２未満の場合、暖房用熱交換器３５より流出した温水が温水迂回路４８へ流入するように流路切替弁４６を切り替える（Ｓ２００、Ｓ２０４）ので、暖房用熱交換器３５より流出した温水が除霜用熱交換器４４へ流入しなくなり、蒸発器１４へ送風する空気を冷却してしまうといったことを防止することができる。
【０１０１】
（第３実施形態）
本発明の第３実施形態に係る暖房システム１の模式的な全体構成図を図６に示す。本実施形態の暖房システム１は、上記第１実施形態の暖房システム１と比較して、更に、排気迂回路５０、流路切替弁４９および温水温度センサ４７を備えた点が異なる。
【０１０２】
排気迂回路５０は、換気熱交換器３４から流出した排気を、除霜用熱交換器４４を迂回させて流す通路である。
【０１０３】
流路切替弁４９は、換気熱交換器３４より排出される排気の流路を、除霜用熱交換器４４へ向かう流路と、排気迂回路５０へ向かう流路へ切り替える第２流路切替弁である。流路切替弁４９は、制御装置から出力される制御電圧によって動作する。
【０１０４】
温水温度センサ４７は、暖房用熱交換器３５より流出した温水の温度Ｔ１を検出する第１温度検出手段である。また、本実施形態において、出口側排気温度センサ４３は、換気熱交換器３４から流出した排気の温度Ｔ２を検出する第２温度検出手段に相当する。温水温度センサ４７および出口側排気温度センサ４３の検出信号はそれぞれ制御装置へ入力される。
【０１０５】
次に、本実施形態の暖房システム１の制御装置の処理について説明する。図７に、この処理のフローチャートを示す。本実施形態の制御装置は、通常暖房運転モードから除霜運転モード切り替わると、図２に示した処理と並行して、図５に示す処理を実施する。
【０１０６】
まず、暖房用熱交換器３５より流出した温水の温度Ｔ１が、換気風（換気熱交換器３４より排出された排気）の温度Ｔ２よりも高いか否かを判定する（Ｓ３００）。暖房用熱交換器３５より流出した温水の温度Ｔ１は、温水温度センサ４７の検出信号に基づいて特定することができる。また、換気風の温度Ｔ２は、出口側排気温度センサ４３の検出信号に基づいて特定することができる。
【０１０７】
ここで、温水の温度Ｔ１が、換気風の温度Ｔ２よりも高い場合、Ｓ３００の判定はＹＥＳとなり、換気熱交換器３４より排出される排気の流路を除霜用熱交換器４４へ向かう流路に切り替わるように流路切替弁４９を制御する（Ｓ３０２）。これにより、換気熱交換器３４より排出された排気は、除霜用熱交換器４４へ流入して除霜用熱交換器４４で加熱され、蒸発器１４の除霜を効率良く行うことが可能となる。
【０１０８】
また、温水の温度Ｔ２が、換気風の温度Ｔ２以下となった場合には、Ｓ３００の判定はＮＯとなり、換気熱交換器３４より排出される排気の流路を、排気迂回路５０へ向かう流路に切り替わるように流路切替弁４９を制御する（Ｓ３０４）。これにより、換気熱交換器３４より排出された排気は、排気迂回路５０へ流入し、除霜用熱交換器４４へ流入しなくなる。
【０１０９】
次に、除霜が完了したか否かを判定する（Ｓ３０６）。具体的には、蒸発器温度Ｔｓの検出信号を読み込み、蒸発器温度Ｔｓが予め定めた除霜終了基準温度ＫＴｓ２（例えば、５℃）よりも高くなっている場合、除霜が完了したと判定する。
【０１１０】
ここで、除霜が完了していない場合、Ｓ２０６の判定はＮＯとなり、Ｓ３００へ戻り、蒸発器１４の除霜が継続される。そして、除霜が完了すると、Ｓ３０６の判定はＹＥＳとなり、次に、暖房用熱交換器３５より流出した温水が、除霜用熱交換器４４へ流入することなく温水迂回路４８へ流入するように流路切替弁４６を制御し（Ｓ３０８）、メインルーチンへ戻り、除霜運転を終了する。
【０１１１】
本実施形態では、前述の第１実施形態と共通の構成から奏される効果を第１実施形態と同様に得ることができる。
【０１１２】
また、本暖房システム１は、換気熱交換器３４より排出される排気を、除霜用熱交換器４４を迂回させる排気迂回路５０と、換気熱交換器３４より排出される排気の流路を、除霜用熱交換器４４側または排気迂回路５０側に切り替える流路切替弁４６と、暖房用熱交換器３５より流出した温水の温度Ｔ１を検出する温水温度センサ４７と、換気熱交換器３４から流出した排気の温度Ｔ２を検出する出口側排気温度センサ４３と、を備えている。更に、本暖房システム１は、温水温度センサ４７により検出された温水の温度Ｔ１が出口側排気温度センサ４３により検出された排気の温度Ｔ２未満の場合、換気熱交換器３４から流出した排気が、排気迂回路５０へ流入するように流路切替弁４６を切り替える（Ｓ３００、Ｓ３０４）ので、換気熱交換器３４から流出した排気が除霜用熱交換器４４へ流入しなくなり、蒸発器１４へ送風する空気を冷却してしまうといったことを防止することができる。
【０１１３】
なお、本発明は上記実施形態に限定されるものではなく、本発明の趣旨に基づいて種々なる形態で実施することができる。
【０１１４】
例えば、上記第２実施形態では、圧縮機１１を停止させて蒸発器１４の除霜運転を実施するようにしたが、圧縮機１１を動作させながら蒸発器１４の除霜を行うようにしてもよい。この場合、暖房用熱交換器３５より流出した温水を、除霜用熱交換器４４を迂回させずに除霜運転を行うのが好ましい。
【０１１５】
また、上記第３実施形態についても、圧縮機１１を動作させながら蒸発器１４の除霜を行うようにしてもよい。この場合、換気熱交換器３４から流出した排気を、除霜用熱交換器４４を迂回させずに除霜運転を行うのが好ましい。
【０１１６】
また、上記第１〜第３実施形態では、Ｓ１００にて、除霜運転を行う必要があるか否かを判定するための情報として、蒸発器温度Ｔｓを取得し、この蒸発器温度Ｔｓに基づいて除霜運転を行う必要があるか否かを判定するようにしたが、このような情報に限定されるものではなく、例えば、蒸発器１４より流出した冷媒の温度を検出す温度センサを設け、この温度センサで検出された温度を、除霜運転を行う必要があるか否かを判定するための情報として取得し、除霜運転を行う必要があるか否かを判定するようにしてもよい。
【０１１７】
また、上記第１〜第３実施形態では、換気熱交換器３４、暖房用熱交換器３５等を備えた暖房システムについて説明したが、更に、貯湯タンク２０に貯湯された給湯水を利用した給湯機能を有する給湯・暖房システムや、冷房機能を有する空調・給湯システムとして構成することもできる。
【０１１８】
また、上記第１〜第３実施形態では、ヒートポンプサイクル１０の冷媒として二酸化炭素を採用したが、例えば、フロン系冷媒など、二酸化炭素以外の冷媒を採用してもよい。
【０１１９】
なお、本発明は上記した実施形態に限定されるものではなく、特許請求の範囲に記載した範囲内において適宜変更が可能である。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【０１２０】
なお、上記実施形態における構成と特許請求の範囲の構成との対応関係について説明すると、Ｓ１００が除霜判定手段に相当し、Ｓ１０２が圧縮機停止手段に相当し、Ｓ１０４が開閉制御手段に相当し、Ｓ２００、Ｓ２０４が第１切替制御手段に相当し、Ｓ３００、Ｓ３０４が第２切替制御手段に相当する。
【符号の説明】
【０１２１】
１    暖房システム
１０  ヒートポンプサイクル
１１  圧縮機
１２  水−冷媒熱交換器
１４  蒸発器
２０  貯湯タンク
３０  給気加熱ユニット
３４  換気熱交換器
３５  暖房用熱交換器
３６  ダクト
４４  除霜用熱交換器
４５  切替ドア
【図１】
2016114319.tif 000003
【図２】
2016114319.tif 000004
【図３】
2016114319.tif 000005
【図４】
2016114319.tif 000006
【図５】
2016114319.tif 000007
【図６】
2016114319.tif 000008
【図７】
2016114319.tif 000009